(57)【要約】【課題】本発明は、ロック状態において、ユーザによる最小限の操作で暗証コード等の照合を行ってロック状態を解除することができる情報処理装置を提供する。【解決手段】第１のコード、及びこの第１のコードより桁数の大きい第２のコードを記憶する記憶手段と、現在位置情報が所定領域内であるか否かを判断する位置判断手段（Ｓ１０７）と、所定領域内である際に、ロック状態において、入力された文字列の桁数が第２のコードと同じであった場合に、この入力された文字列を第２のコードに照合する照合手段（Ｓ１０５、Ｓ１０９乃至Ｓ１１３）と、照合に成功した場合にロック状態を解除する解除手段（Ｓ１１５）と、を備えた。【選択図】  図４
2008271021.tif 000002
【特許請求の範囲】
【請求項１】
第１のコード、及びこの第１のコードより桁数の大きい第２のコードを記憶する記憶手段と、
現在位置情報が所定領域内であるか否かを判断する位置判断手段と、
ロック状態において、前記位置判断手段により所定領域内であると判断された際に、入力された文字列の桁数が、前記記憶手段により記憶される第２のコードと同じであった場合に、この入力された文字列を前記記憶手段により記憶されている第２のコードに照合する照合手段と、
前記照合手段による照合結果に基づいてロック状態を解除する解除手段と、
を備えたことを特徴とする情報処理装置。
【請求項２】
前記照合手段は、前記位置判断手段により所定領域外であると判断された際に、入力された文字列の桁数が、前記記憶手段により記憶される第２のコードと同じであった場合に、所定のキー入力を受け付けたことに基づいて照合を行う請求項１記載の情報処理装置。
【請求項３】
前記第２のコードの桁数の文字列が入力される前に、前記第１のコードと同じ文字列が入力された場合、緊急呼の発呼を行う発呼手段を備えた請求項１または２記載の情報処理装置。
【請求項４】
第１のコード及び第２のコードを記憶する記憶手段と、
現在位置情報が所定領域内であるか否かを判断する位置判断手段と、
ロック状態において、前記位置判断手段により所定領域内であると判断された際に、入力された文字列の桁数が、前記記憶手段により記憶される第２のコードと同じであった場合に、この入力された文字列を前記記憶手段により記憶されている第２のコードに照合する照合手段と、
前記照合手段による照合結果に基づいてロック状態を解除する解除手段と、
を備えたことを特徴とする情報処理装置。
【請求項５】
第１のコード及び第２のコードを記憶する記憶手段と、
現在位置情報が所定領域内であるか否かを判断する位置判断手段と、
ロック状態において、前記位置判断手段により所定領域外であると判断された際に、入力された文字列の桁数が、前記記憶手段により記憶される第２のコードと同じであった場合に、この入力された文字列を前記記憶手段により記憶される第１のコードと比較して、一致しない時にこの入力された文字列を第２のコードに照合する照合手段と、
前記照合手段による照合結果に基づいてロック状態を解除する解除手段と、
を備えたことを特徴とする情報処理装置。
【発明の詳細な説明】
【技術分野】
【０００１】
本発明は、ロック状態において、ユーザが暗証コードを入力することによりロック状態を解除する情報処理装置に関する。
【背景技術】
【０００２】
従来の携帯電話機等の情報処理装置は、他人に使用されることを防止するために、例えばクラムシェルを開いた時に携帯電話の使用を禁止するロック状態になっており、このロック状態を解除しないと使用できないようになっている（特許文献１参照）。しかしながら、これらの携帯電話機は、ロック状態であっても緊急呼に限って発呼処理が行えるように設定されている。
【特許文献１】特開平１１−３５５４３２号公報
【発明の開示】
【発明が解決しようとする課題】
【０００３】
日本国内においては緊急呼の電話番号が３桁に固定されているが、日本国外においては様々な桁数の発呼番号を持つ緊急呼が存在する。そして、例えば、暗証番号が４桁の「１１００」と設定してロックをかけた場合において、暗証番号の初めの３桁「１」「１」「０」と入力した段階で、それが緊急呼（「１１０」）に対する入力なのか、暗証番号の入力（「１１００」のうちの初めの３桁）の入力なのか、見分けるのが困難であるという問題があった。これは、例えば、海外において、緊急呼番号が６桁、暗証番号が４桁等の設定であっても同じ問題が起こる。また、ユーザによる最小限の操作で携帯電話機のロック状態を解除できること、携帯電話機がロック状態であっても緊急呼が確実に発呼されるようにすることが望ましい。
【０００４】
本発明は、上記課題に鑑みてなされてものであり、ロック状態において、ユーザによる最小限の操作で暗証コード等の照合を行ってロック状態を解除することができる情報処理装置を提供することを目的とする。
【課題を解決するための手段】
【０００５】
上記課題を解決するために、本発明に係る情報処理装置は、第１のコード、及びこの第１のコードより桁数の大きい第２のコードを記憶する記憶手段と、現在位置情報が所定領域内であるか否かを判断する位置判断手段と、ロック状態において、前記位置判断手段により所定領域内であると判断された際に、入力された文字列の桁数が、前記記憶手段により記憶される第２のコードと同じであった場合に、この入力された文字列を前記記憶手段により記憶されている第２のコードに照合する照合手段と、前記照合手段による照合結果に基づいてロック状態を解除する解除手段と、を備えたことを特徴とする。
【発明の効果】
【０００６】
本発明に係る情報処理装置によると、ロック状態において、ユーザによる最小限の操作で暗証コード等の照合を行ってロック状態を解除することが可能となる。
【発明を実施するための最良の形態】
【０００７】
本発明に係る情報処理装置の実施形態について、添付図面を参照しながら説明する。図１及び図２に、情報処理装置１の一例として折り畳み型の携帯電話機の外観図を示す。図１（Ａ）は、情報処理装置１の約１８０度に見開いた状態の正面図であり、図１（Ｂ）は、情報処理装置１の見開いた状態の側面図である。また、図２（Ａ）は、情報処理装置１の折り畳んだ状態の正面図であり、図２（Ｂ）は、情報処理装置１の折り畳んだ状態の側面図である。
【０００８】
図１及び図２に示すように、情報処理装置１は、中央のヒンジ部２１を挟むように第１の筐体２２と第２の筐体２３とがヒンジ結合されており、ヒンジ部２１を介して図１及び図２のＸ方向に折り畳み可能に形成される。情報処理装置１の内部の所定の位置には、送受信用のアンテナ（後述する図３のアンテナ５３）が設けられており、内蔵されたアンテナ５３を介して基地局（図示せず）との間で電波を送受信する。
【０００９】
第１の筐体２２の中央部には、液晶ディスプレイ２５が設けられている。この液晶ディスプレイ２５の上部には、例えば、現在のアンテナ５３のアンテナレベルを示すアンテナピクト、情報処理装置１の現在の電池レベルや充電状態を示す電池ピクト、現在の時刻等が表示される。また、液晶ディスプレイ２５の上部の所定の位置にはスピーカ２８が設けられており、これにより、ユーザが音声を聞くことが可能となる。
【００１０】
第１の筐体２２には、その表面に「０」から「９」までの数字キー、「ＯＫ」キー２４ａ、発呼キー２４ｂ、リダイヤルキー、終話・電源キー、クリアキー、及び電子メールキー等の操作キー２４が設けられており、ユーザはこれらの操作キー２４を用いて各種指示を入力することができる。また第１の筐体２２には、操作キー２４として上部に十字キーと確定キーが設けられており、ユーザが十字キーを上下左右方向に操作することにより液晶ディスプレイ２５におけるカーソルの位置を上下左右に移動させることができる。また、第１の筐体２２には、操作キー２４の下部にマイクロフォン２６が設けられており、マイクロフォン２６によって通話時のユーザの音声を集音する。
【００１１】
なお、第１の筐体２２は、背面側にバッテリパック（図示せず）が挿着されており、終話・電源キーがオン状態になると、バッテリパックから各回路部に対して電力が供給されて動作可能な状態に起動する。また、第１の筐体２２と第２の筐体２３の内部の所定の位置には、情報処理装置１の開閉状態を検知するための磁気センサ２９ａ、２９ｂ、２９ｃ、２９ｄが設けられている。
【００１２】
図３は、情報処理装置１の機能構成図である。情報処理装置１は、図３に示すように、主制御部４１、記憶部４２、電源回路部４３、操作入力制御部４４、ＬＣＤ制御部４５、音声コーディック４６、変復調回路部４７、多重化分離部４８、状態管理部４９、がバスＢによって相互に接続されて構成される。
【００１３】
主制御部４１は、様々なデータ処理や演算を行うＣＰＵ（Ｃｅｎｔｒａｌ  Ｐｒｏｃｅｓｓｉｎｇ  Ｕｎｉｔ）からなる。記憶部４２は、主制御部４１が行う処理プログラム等を格納するＲＯＭ（Ｒｅａｄ  Ｏｎｌｙ  Ｍｅｍｏｒｙ）やハードディスク等の磁気的な記憶装置、主制御部４１が処理を行う際に使用するデータを一時的に記憶するＲＡＭ（Ｒａｎｄｏｍ  Ａｃｃｅｓｓ  Ｍｅｍｏｒｙ）等の電気的な記憶装置とからなる。
【００１４】
電源回路部４３は、ユーザの操作キー２４による入力により電源のオン／オフ状態を切り替え、電源がオン状態の場合には電力供給源（バッテリ等）から各部に対して電力を供給して、情報処理装置１を動作可能にする。操作入力制御部４４は、操作キー２４によって入力されたデータを主制御部４１に伝送する。ＬＣＤ制御部４５は、主制御部４１の制御に基づいて、画像データをメインディスプレイ２５に表示する処理を行う。
【００１５】
音声コーディック４６は、主制御部４１の制御に基づいて、マイクロフォン２６で集音した音声からデジタル音声信号を生成する。変復調回路部４７は、音声通話の際に、音声コーディック４６からデジタル音声信号を入力して、送受信回路部５１に伝送する。送受信回路部５１はこのデジタル音声信号をアンテナ５２を介して送信する。
【００１６】
また、変復調回路部４７は、送受信回路部５１がアンテナ５２を介して受信したデジタル音声信号を入力する。音声コーディック４６は、音声通話の際に、このデジタル音声信号を取得してアナログ音声信号に変換し、スピーカ２８から音声として出力する。多重化分離部４８は、複数の信号を重ねて多重化信号を生成する多重化処理、及び、多重化信号を複数の信号に分離する分離処理を行う。
【００１７】
ロック制御部４９は、ユーザが所定の操作（例えば所定の操作キー２４の押下等）をした際に、主制御部４１の指示に基づいて、通常使用状態の情報処理装置１を、特定の操作以外の全ての操作を禁止するロック状態に切り替えたり、ロック状態の情報処理装置１を通常使用状態に切り替えたりする。なお、主制御部４１は、ロック状態においてユーザが入力した暗証コードを用いて照合処理を行い、照合に成功した場合に、ロック制御部４９に対してロック状態を通常使用状態に切り替えるように指示を出し、この指示によりロック制御部４９がロック解除処理を行う。
【００１８】
ＵＳＩＭ制御部５０は、ＵＳＩＭ（Universal Subscriber Identity Module）カード５３の制御処理を行う。ＵＳＩＭカードは、例えばＧＳＭ（Global System for Mobile Communications）やＷ-ＣＤＭＡ（Wideband Code Division Multiple Access）等の方式の携帯電話で使われている電話番号を特定するための固有のＩＤ番号が記録されたＩＣカードである。このＵＳＩＭカード５３にはＩＤ番号とともにユーザの契約している電話番号（第３のコード）等の個人情報が書かれており、情報処理装置１にこのＵＳＩＭカード５３を抜き差しすることで、任意の情報処理装置１を特定の電話番号で使用することができる。通信方式の異なる国際ローミングの場合でも、ＵＳＩＭカード５３を用いることにより任意の情報処理装置１を特定の電話番号で使用することができる。よって、このＵＳＩＭカード５３を利用することにより、国内においても国外においても情報処理装置１を同様に利用することができる。
【００１９】
ここで、情報処理装置１がロック状態に設定されている際の処理について説明する。情報処理装置１がロック制御部４９によりロック状態に設定されている場合に、ユーザが操作キー２４等を介して行える操作は、例えばロック状態を解除して通常使用状態にするロック解除処理、事件や事故に巻き込まれた際の緊急呼に対する発呼処理の２つがある。よって、情報処理装置１は、ロック状態においてユーザが操作キー２４による入力を行った場合に、ユーザがロックを解除する目的で入力を行ったのか、それとも緊急呼を発呼するために入力を行ったのかを判断する必要がある。
【００２０】
記憶部４２には、ロックを解除するための暗証コード（第２のコード）が記憶されている。この暗証コードは、例えば「１２３４」のような文字列であり、情報処理装置１がロック状態にある時に、例えば操作キー２４によりこの暗証コードを入力することで、ロック状態が解除される。暗証コードは、例えば４桁以上８桁以下の固定長の文字列である。この暗証コードは予め決められているコードであっても、ユーザにより前もって設定されたコードであっても良い。また、暗証コードは、特定国内の緊急呼の桁数より大きい桁での任意の桁数（例えば日本国内であれば４桁以上（１０桁以下）の任意の数）に設定されるようにしてもよい。また、記憶部４２には、「１１０」、「１１９」、「１１８」等の緊急呼の電話番号（第１のコード）が予め記憶されている。さらにＵＳＩＭカード５３には、例えば所定の国の緊急呼の電話番号等の所定の電話番号が記憶されている。
【００２１】
従来の情報処理装置では、ロック状態において操作キー２４により文字列が入力された後に発呼キー２４ｂが押されたら緊急呼の発呼処理を行い、「ＯＫ」キー２４ａが押されたらロック解除処理を行えばよい。しかしながら、ユーザが急いでロックを解除したい場合等に備えて、「ＯＫ」キー２４ａの入力を省略できることが望ましい。
【００２２】
そこで、情報処理装置１では、緊急呼の電話番号と暗証コードとの桁数の違いを利用して、ユーザによる操作の目的がロックを解除するためか、それとも緊急呼の発呼を行うためかを判断し、ロックを解除する際の「ＯＫ」キー２４ａの入力を省略する。すなわち、暗証コードの桁数が、緊急呼の電話番号よりも大きい桁数で固定されていれば、暗証コードの桁数の分の操作キー２４の入力があった場合に、「ＯＫ」キー２４ａの入力なしに暗証コードの照合行ってロックを解除しても問題は生じない。
【００２３】
現在、日本国内の緊急呼の電話番号は全て３桁であるが、緊急呼の電話番号の桁数は国によってまちまちであり、日本国外においては３桁であるとは限らない。そこで、情報処理装置１でのロック解除処理においては、始めに日本国内にいるか日本国外にいるかを判断して、その結果によって「ＯＫ」キー２４ａの入力を省略するか否かを決定してから、ロック状態から通常使用状態に切り替える手法を用いる。
【実施例１】
【００２４】
ロック状態にある情報処理装置１におけるロック解除処理の実施例１について、図４に示すフローチャートに基づいて説明する。ユーザが情報処理装置１のロックを解除するためには、操作キー２４により暗証コードを入力する。よって始めに情報処理装置１の主制御部４１は、操作キー２４の入力がされたか否かを判断する（Ｓ１０１）。操作キー２４の入力がされない場合（Ｓ１０１のＮｏ）は、主制御部４１はロック解除処理を行わずにそのまま待機する。
【００２５】
操作キー２４の入力がされた場合（Ｓ１０１のＹｅｓ）は、主制御部４１は、近隣の基地局からアンテナ５２を介してローミング情報を取得する（Ｓ１０３）。ローミングとは、契約をしている事業者のサービス範囲外において、提携している他の通信事業者をサービスを受けることである。また、ローミング情報とはサービスを提供している事業者を特定する情報であり、情報処理装置１が主に着呼の待ち受けを行う際に用いる図示しない基地局から放送される情報に含まれている。このローミング情報に含まれている事業者の情報により、例えばサービスを提供している事業者が国内の事業者であるか、海外の事業者であるかを判別することができる。
【００２６】
主制御部４１は、Ｓ１０３で取得したローミング情報に基づいて、情報処理装置１が国内に待ち受けているか、それとも海外に待ち受けているかを判断する（Ｓ１０７）。情報処理装置１が国内に待ち受けている場合（Ｓ１０７のＹｅｓ）は、主制御部４１は、操作キー２４の入力がされたか否かを判断する（Ｓ１０８）。操作キー２４の入力がされていない場合（Ｓ１０８のＮｏ）は、主制御部４１はそのまま待機する。
【００２７】
操作キー２４の入力がされた場合（Ｓ１０８のＹｅｓ）は、主制御部４１は、操作キー２４の入力がＳ１０５で取得した暗証コードの桁数の分だけ入力されたか否かを判断する（Ｓ１０９）。例えば、暗証コードが「１２３４」の４桁であった場合は、操作キー２４の入力が４回された場合に、暗証コードの桁数の分だけ入力されたものと判断される。操作キー２４の入力が暗証コードの桁数の分だけ入力されていない場合（Ｓ１０９のＮｏ）には更に緊急呼のための番号が入力されたか否かを判断し（Ｓ１２５）、緊急呼の番号が入力されていないと判断された場合（Ｓ１２５のＮｏ）には、主制御部４１は操作キー２４の入力に備えてそのまま待機する。
【００２８】
また、Ｓ１２５において、緊急呼のための番号が入力されたと判断された場合（Ｓ１２５のＹｅｓ）には、主制御部４１は、その後例えば発呼キー２４ｂの入力を受け付けたか否かを判断し（Ｓ１２７）、発呼キー２４ｂが入力されていないと判断された場合（Ｓ１２５のＮｏ）には、主制御部４１は操作キー２４の入力に備えてそのまま待機する。
【００２９】
発呼キー２４ｂが入力されたと判断された場合（Ｓ１２５のＹｅｓ）には、主制御部４１は、発呼キー２４ｂの入力を契機に緊急呼の発信を行う（Ｓ１２７）。なお、Ｓ１２５における判断は、緊急呼の桁数である３桁のコードが入力された時に限り判断を行い、それ以外はＳ１２５のＮｏに遷移するようにしてもよい。
【００３０】
操作キー２４の入力が暗証コードの桁数の分だけ入力された場合（Ｓ１０９のＹｅｓ）は、国内に待ち受けている時には緊急呼の電話番号の桁数が暗証コードより短いことがわかっているので、操作キー２４の入力が緊急呼ではなく暗証コードであると判断できる。よって主制御部４１は、操作キー２４により入力された文字列をＳ１０５で取得した暗証コードと照らし合わせ、それらが一致するか否かを判断する（Ｓ１１１）。
【００３１】
操作キー２４により入力された文字列が暗証コードと一致しなかった場合（Ｓ１１１のＮｏ）には、入力された文字列が暗証コードと異なっていることを示して再入力を促すためのメッセージを表示する等して、ユーザに再入力を促す（Ｓ１１３）。操作キー２４により入力された文字列が暗証コードと一致した場合（Ｓ１１１のＹｅｓ）は、主制御部４１は、（ＯＫキー２４ａの入力なく）ロックを解除して情報処理装置１をロック状態から通常使用状態に切り替える（Ｓ１１５）。なお、Ｓ１１３において、１回のロック状態からの解除において、所定回数Ｓ１１３の再入力を行った場合には、不正なユーザからの仕様と判断し、電源を強制的に切るか、強制的に待受け画面に戻るようにしてもよい。
【００３２】
また、情報処理装置１が日本国内に待ち受けていない場合、すなわち情報処理装置１が日本国外に待ち受けている場合（Ｓ１０７のＮｏ）は、主制御部４１は、操作キー２４の入力がされたか否かを判断する（Ｓ１１６）。操作キー２４の入力がされていない場合（Ｓ１１６のＮｏ）は、主制御部４１はそのまま待機する。
【００３３】
操作キー２４が入力された場合（Ｓ１１６のＹｅｓ）には、主制御部４１は、緊急呼のための番号の桁数分の入力がされたか否かを判断する（Ｓ１３１）。緊急呼のための電話番号の桁数分の入力がされたと判断された場合（Ｓ１３１のＹｅｓ）には、主制御部４１は、その後例えば発呼キー２４ｂの入力を受け付けたか否かを判断する（Ｓ１３３）。主制御部４１は、発呼キー２４ｂの入力を受け付けたことを契機（Ｓ１３３のＹｅｓ）に緊急呼の発信を行う（Ｓ１３５）。なお、Ｓ１３１における判断は、３桁のコードが入力された時に限り判断を行い、それ以外はＳ１３１のＮｏに遷移するようにしてもよい。
【００３４】
緊急呼の電話番号の桁数分の入力がされていない場合（Ｓ１３１のＮｏ）、及び、発呼キー２４ｂの入力がされていないと判断された場合（Ｓ１３３のＮｏ）、Ｓ１０９と同様に、主制御部４１は、操作キー２４の入力が暗証コードの桁数の分だけ入力されたか否かを判断する（Ｓ１１７）。操作キー２４の入力が暗証コードの桁数の分だけ入力されていない場合（Ｓ１１７のＮｏ）は、主制御部４１はそのまま待機する。
【００３５】
操作キー２４の入力が暗証コードの桁数の分だけ入力された場合（Ｓ１１７のＹｅｓ）は、情報処理装置１が海外にある時には入力された文字列が暗証コードではなくて緊急呼の電話番号である可能性があるため、そのまま暗証コードとして認識することができない。そこで、主制御部４１は、「ＯＫ」キー２４ａの入力がされたか否かを判断する（Ｓ１１９）。「ＯＫ」キー２４ａが入力されていない場合（Ｓ１１９のＮｏ）には、主制御部４１はそのまま待機する。
【００３６】
「ＯＫ」キー２４ａが入力された場合（Ｓ１１９のＹｅｓ）は、主制御部４１は、入力された文字列を暗証コードと照らし合わせて、それらが一致するか否かを判断する（Ｓ１２１）。操作キー２４により入力された文字列が暗証コードと一致しなかった場合（Ｓ１２１のＮｏ）には、入力された文字列が暗証コードと異なっていることを示して再入力を促すためのメッセージを表示する等して、ユーザに再入力を促す（Ｓ１２３）。なお、Ｓ１２３においても、１回のロック状態からの解除において、所定回数Ｓ１２３の再入力を行った場合には、不正なユーザからの仕様と判断し、電源を強制的に切るか、強制的に待受け画面に戻るようにしてもよい。
【００３７】
操作キー２４により入力された文字列が暗証コードと一致した場合（Ｓ１２１のＹｅｓ）には、主制御部４１は、ロックを解除して情報処理装置１をロック状態から通常使用状態に切り替える（Ｓ１１５）。このようにして、情報処理装置１では、ロックを解除する際にローミング情報から国内に待ち受けているか否かを判断し、国内に待ち受けている場合には、入力された文字列の桁数から暗証コードの入力を認識することにより、入力時の「ＯＫ」キー２４ａの入力を省略している。
【００３８】
本発明に係る情報処理装置の実施例１によると、暗証コードの桁が緊急呼の電話番号の桁数より大きいことを利用し、ロック状態において、ユーザにより入力された文字列の桁数からその文字列が暗証コードであることを認識して、この暗証コードの照合を行い、照合結果に基づいてロック状態を解除することにより、ユーザによる最小限の操作で暗証コード等の照合を行ってロック状態を解除することが可能となる。
【００３９】
また、本発明に係る情報処理装置の実施例１によると、ロック状態において、ローミング情報に基づいて日本国内に（の事業者）待ち受けているか日本国外（の事業者）に待ち受けているかを判別し、緊急呼の電話番号が３桁に固定されている日本国内に待ち受けている場合に、ユーザにより入力された文字列を桁数で暗証コードであるか緊急呼の電話場号であるかを判断することにより、ユーザによる最小限の操作で暗証コード等の照合を行ってロック状態を解除することが可能となる。
【００４０】
なお、ステップＳ１０８乃至Ｓ１１３、Ｓ１１６乃至Ｓ１２３の処理が照合手段であり、ステップＳ１１５の処理が解除手段であり、ステップＳ１０３、Ｓ１０７の処理が位置判断手段であり、ステップＳ１２９、Ｓ１３５の処理が発呼手段である。
【実施例２】
【００４１】
ロック状態にある情報処理装置１におけるロック解除処理の実施例２について、図５に示すフローチャートに基づいて説明する。実施例２においては、ＵＳＩＭカード５３に記憶されている電話番号（例えば緊急呼の電話番号）を考慮してロック解除処理が行われる。
【００４２】
主制御部４１は、Ｓ２０１及びＳ２０３の処理として、実施例１のＳ１０１及びＳ１０３の処理を行う。また主制御部４１は、Ｓ２０３で取得したローミング情報に基づいて、情報処理装置１が日本国内に待ち受けているか、それとも日本国外に待ち受けているかを判断する（Ｓ２０７）。そして主制御部４１は、国内に待ち受けていると判断された場合（Ｓ２０７のＹｅｓ）は、Ｓ２０８乃至Ｓ２１５、Ｓ２２５乃至Ｓ２２９の処理として、実施例１のＳ１０８乃至Ｓ１１５、Ｓ１２５乃至Ｓ１２９の処理を行う。
【００４３】
国内に待ち受けていないと判断された場合、すなわち日本国外に待ち受けていると判断された場合（Ｓ２０７のＮｏ）は、主制御部４１は、ＵＳＩＭカード５３に記憶されている電話番号を取得する（Ｓ２１７）。情報処理装置１がロック状態であっても、このＵＳＩＭカード５３に記憶されている電話番号は緊急呼の扱いなので、この電話番号には発信処理を行うことができる。
【００４４】
主制御部４１は、操作キー２４の入力がされたか否かを判断する（Ｓ２１８）。操作キー２４の入力がされていない場合（Ｓ２１８のＮｏ）は、主制御部４１はそのまま待機する。
【００４５】
操作キー２４が入力された場合（Ｓ２１８のＹｅｓ）には、主制御部４１は、緊急呼のための番号の桁数分の入力がされたか否かを判断する（Ｓ２３１）。緊急呼のための電話番号の桁数分の入力がされたと判断された場合（Ｓ２３１のＹｅｓ）には、主制御部４１は、その後例えば発呼キー２４ｂの入力を受け付けたか否かを判断する（Ｓ２３３）。主制御部４１は、発呼キー２４ｂの入力を受け付けたことを契機（Ｓ２３３のＹｅｓ）に緊急呼の発信を行う（Ｓ２３５）。なお、Ｓ２３１における判断は、３桁のコードが入力された時に限り判断を行い、それ以外はＳ２３１のＮｏに遷移するようにしてもよい。
【００４６】
緊急呼の電話番号の桁数分の入力がされていない場合（Ｓ２３１のＮｏ）、及び、発呼キー２４ｂの入力がされていないと判断された場合（Ｓ２３３のＮｏ）、Ｓ１０９及びＳ２０９と同様に、主制御部４１は、操作キー２４の入力が暗証コードの桁数の分だけ入力されたか否かを判断する（Ｓ２１９）。操作キー２４の入力が暗証コードの桁数の分だけ入力されていない場合（Ｓ２１９のＮｏ）は、主制御部４１はそのまま待機する。
【００４７】
操作キー２４による入力の回数が暗証コードの桁数の分だけ入力された場合（Ｓ２１９のＹｅｓ）は、主制御部４１は、入力された文字列をＳ２１７で取得した電話番号（ＵＳＩＭカード５３に記憶されている電話番号）と照らし合わせ、それらが一致するか否かを判断する（Ｓ２２１）。
【００４８】
操作キー２４により入力された文字列がＳ２１７で取得した電話番号と一致した場合（Ｓ２２１のＹｅｓ）は、ユーザにより入力された文字列が電話番号であるか暗証コードであるか判断できないため、主制御部４１は、「ＯＫ」キー２４ａが押されたか否かを判断する（Ｓ２２３）。この際、ユーザが暗証コードを入力する場合には、暗証コードの入力後に「ＯＫ」キー２４ａが入力される。「ＯＫ」キー２４ａが押されていない場合（Ｓ２２３のＮｏ）は、主制御部４１はそのまま待機する。
【００４９】
「ＯＫ」キー２４ａが押された場合（Ｓ２２３のＹｅｓ）、または、入力された文字列がＳ２１７で取得した電話番号と一致しなかった場合（Ｓ２２１のＮｏ）は、入力された文字列が暗証コードであるから、主制御部４１は、入力された文字列を暗証コードと照らし合わせ、それらが一致するか否かを判断する（Ｓ２２５）。
【００５０】
操作キー２４により入力された文字列が暗証コードと一致しなかった場合（Ｓ２２５のＮｏ）には、入力された文字列が暗証コードと異なっていることを示して再入力を促すためのメッセージを表示する等して、ユーザに再入力を促す（Ｓ２２７）。
【００５１】
操作キー２４により入力された文字列が暗証コードと一致した場合（Ｓ２２７のＹｅｓ）には、主制御部４１は、ロックを解除して情報処理装置１をロック状態から通常使用状態に切り替える（Ｓ２１５）。
【００５２】
このようにして、情報処理装置１では、海外に待ち受けている場合には、入力された暗証コードをＵＳＩＭカード５３に記憶されている電話番号と一致する時にのみユーザに暗証コードの入力後の「ＯＫ」キー２４ａの入力を促して、電話番号と一致しない時には「ＯＫ」キー２４ａの入力を省略している。
【００５３】
本発明に係る情報処理装置の実施例２によると、ロック状態において、ローミング情報に基づいて日本国内に待ち受けているか日本国外に待ち受けているかを判別し、日本国外に待ち受けている際に、ユーザにより入力された文字列をＵＳＩＭカード５３に記憶されている電話番号と比較し、一致しなかった場合に、この入力された文字列を暗証コードと認識してこの暗証コードの照合を行い、照合結果に基づいてロック状態を解除することにより、ユーザによる最小限の操作で暗証コード等の照合を行ってロック状態を解除することが可能となる。
【００５４】
なお、ステップＳ２０８乃至Ｓ２１３、Ｓ２１９乃至２２７の処理が照合手段であり、ステップＳ２１５の処理が解除手段であり、ステップＳ２０３、Ｓ２０７の処理が位置判断手段であり、ステップＳ２２９、Ｓ２３５の処理が発呼手段である。
【００５５】
なお、実施例１及び実施例２の双方についていえるが、ステップＳ１０３、Ｓ２０３のローミング情報の取得において、圏外などで電源を投入した場合は、一度もローミング情報が得られない場合がある。この場合においては、ステップＳ１０７、Ｓ２０７の国内に待ち受けているか否かの判断で、ステップＳ１０７のＮｏに遷移して暗証番号の入力にＯＫキーを要するように設定してもよい。また、実施形態として携帯電話機型の情報処理装置１について説明したが、これに限らず、携帯電話、ＰＨＳ、ＰＤＡ（Ｐｅｒｓｏｎａｌ  Ｄｉｇｉｔａｌ  Ａｓｓｉｓｔａｎｔｓ）等の任意の情報端末であっても良い。
【図面の簡単な説明】
【００５６】
【図１】本発明に係る情報処理装置の外観図。
【図２】本発明に係る情報処理装置の外観図。
【図３】本発明に係る情報処理装置の機能構成図。
【図４】本発明に係る情報処理装置がロック解除処理（実施例１）を行う際の手順を示すフローチャート。
【図５】本発明に係る情報処理装置がロック解除処理（実施例２）を行う際の手順を示すフローチャート。
【符号の説明】
【００５７】
１…情報処理装置，４１…主制御部，４２…記憶部，４３…電源回路部，４４…操作入力制御部，４５…ＬＣＤ制御部，４６…音声コーディック，４７…変復調回路部，４８…多重化分離部，４９…ロック制御部，５０…ＵＳＩＭ制御部，５１…送受信回路部，５２…アンテナ，５３…ＵＳＩＭカード，Ｂ…バス。
【図１】
2008271021.tif 000003
【図２】
2008271021.tif 000004
【図３】
2008271021.tif 000005
【図４】
2008271021.tif 000006
【図５】
2008271021.tif 000007